(57)【要約】【課題】コンパクトで操作も簡易で、例えば腫瘍の切除等、精緻な作業を要する場面の使用に際して精妙な動作が容易になり、作業精度、作業効率の向上に資する蛍光標識用センサー装置の提供。【解決手段】蛍光標識による試料を視認観察するための蛍光標識用センサー装置であって、前記試料に励起光の照射口を有するプローブ本体と、このプローブ本体に取り付けられて前記試料から発せられる特定の蛍光波長が透過するフィルターとが一体化した蛍光標識用センサー装置である。【選択図】    図１
2004275569.tif 000002
【特許請求の範囲】
【請求項１】
蛍光標識による試料を視認観察するための蛍光標識用センサー装置であって、前記試料に励起光の照射口を有するプローブ本体と、このプローブ本体に取り付けられて前記試料から発せられる特定の蛍光波長が透過するフィルターと、を具えてなる蛍光標識用センサー装置。
【請求項２】
請求項１記載の蛍光標識用センサー装置において、フィルターのプローブ本体に対する角度を自在に設定し得るようにしたことを特徴とする蛍光標識用センサー装置。
【請求項３】
請求項１又は２記載の蛍光標識用センサー装置において、プローブ本体は、フィルターとの位置関係を保持しつつ励起光の照射方向を自在に設定し得るようにしたことを特徴とする蛍光標識用センサー装置。
【請求項４】
請求項１ないし３いずれか記載の蛍光標識用センサー装置において、励起光はプローブ本体の照射口と励起光光源とを結ぶ光ファイバーを伝送路としたことを特徴とする蛍光標識用センサー装置。
【請求項５】
請求項１ないし３いずれか記載の蛍光標識用センサー装置において、プローブ本体の照射口に設けた励起光光源と、プローブ本体に具備される光源用電源とを具えることを特徴とする蛍光標識用センサー装置。
【請求項６】
請求項４記載の蛍光標識用センサー装置において、プローブ本体内を貫通する光ファイバーの先端部と照射口との間に励起光の開通・遮断をなすためのシャッター機構を設けたことを特徴とする蛍光標識用センサー装置。
【請求項７】
請求項１ないし６いずれか記載の蛍光標識用センサー装置において、フィルターはプローブ本体に対して着脱自在となしたことを特徴とする蛍光標識用センサー装置。
【発明の詳細な説明】
【０００１】
【発明の属する技術分野】
本願発明は、医学、生物学等の分野で、生物組織の標本を観察するための蛍光標識センサー装置に関し、詳しくは蛍光標識による組織を識別視認するための装置に関するものである。
【０００２】
【従来の技術】
例えば、悪性神経膠腫等においては、腫瘍の外観はしばしば周囲組織と類似することから、肉眼的な腫瘍の境界は必ずしも明瞭ではない。このため、蛍光標識により脳腫瘍を可視化する試みが古くから行われており、近年では蛍光顕微鏡の開発により手術用顕微鏡を用いて腫瘍を周囲の組織と判別しつつ切除する手法が確立している。
【０００３】
一般に、この種の顕微鏡では、対物レンズや接眼レンズと対物レンズとの間に蛍光フィルターが設置されるようになっており、蛍光標識された対象部位に顕微鏡外から別途励起光を照射して対象部位から発せられる特定波長を蛍光フィルターを通すことにより対象部位を肉眼で明瞭に識別できるようになっている。
なお、本願発明に関連する先行技術文献としては、「Ｋｕｒｏｉｗａ  Ｔ，  Ｋａｊｉｍｏｔｏ  Ｙ，  Ｏｈｔａ  Ｔ：  Ｄｅｖｅｌｏｐｍｅｎｔ  ｏｆ  ａ  ｆｌｕｏｒｅｓｃｅｉｎ  ｏｐｅｒａｔｉｖｅ  ｍｉｃｒｏｓｃｏｐｅ  ｆｏｒ  ｕｓｅ  ｄｕｒｉｎｇ  ｍａｌｉｇｎａｎｔ  ｇｌｉｏｍａ  ｓｕｒｇｅｒｙ  −  ａ  ｔｅｃｈｎｉｃａｌ  ｎｏｔｅ  ａｎｄ  ｐｒｅｌｉｍｉｎａｒｙ  ｒｅｐｏｒｔ．  Ｓｕｒｇ  Ｎｅｕｒｏｌ．  ５０：４１−  ４９，  １９９８  」、特開平１１−１４２３３５、特開平９−２９５７２、特開２０００−２２７５５６等がある。
【０００４】
【発明が解決しようとする課題】
しかしながら、上述した従来の手術用蛍光顕微鏡にあっては、術中の蛍光フィルターの着脱が煩瑣であり、また励起光の光源も別途準備する必要がありシステム全体として冗長、雑駁であり精緻な作業を要する場面には適さない面が多く、従来より、使いやすくコンパクトかつ安価な装置が求められている。
【０００５】
【課題を解決するための手段】
本願発明は、蛍光標識による試料を視認観察するための蛍光標識用センサー装置を、前記試料に励起光の照射口を有するプローブ本体と、このプローブ本体に取り付けられて前記試料から発せられる特定の蛍光波長が透過するフィルターと、を具えて構成泳して、上記従来の課題を解決しようとするものである。
【０００６】
そして、上記の蛍光標識用センサー装置において、フィルターのプローブ本体に対する角度を自在に設定し得るように構成することがある。
【０００７】
また、上記いずれか蛍光標識用センサー装置において、プローブ本体は、フィルターとの位置関係を保持しつつ励起光の照射方向を自在に設定し得る構成となすことがある。
【０００８】
さらに、上記いずれか記載の蛍光標識用センサー装置において、励起光はプローブ本体の照射口と励起光光源とを結ぶ光ファイバーを伝送路とすることがある。
【０００９】
また、上記いずれかの蛍光標識用センサー装置において、プローブ本体の照射口に設けた励起光光源と、プローブ本体に具備される光源用電源とを具える構成となすことがある。
【００１０】
さらにまた、上記の蛍光標識用センサー装置において、プローブ本体内を貫通する光ファイバーの先端部と照射口との間に励起光の開通・遮断をなすためのシャッター機構を設けることがある。
【００１１】
また、上記いずれかの蛍光標識用センサー装置において、フィルターはプローブ本体に対して着脱自在となすことがある。
【００１２】
【発明の実施形態】
以下、本願発明の実施形態を説明する。  図１は、本願発明に係る蛍光標識用センサー装置の１実施形態を示す断面図である。  図において、１は、筒体状のプローブ本体であり、中心軸に沿って貫通路２が形成されていてこの貫通路２の先端部は蛍光標識された試料に励起光を照射するための照射口３となっている。
４は蛍光フィルターで、プローブ本体１の先端に所定角度で固定される保持枠体５に嵌めこまれている。  また、６は前記貫通路２に挿通されその先端が前記照射口３に臨む光ファイバーであり、照射口３と装置外の励起光光源とを結ぶ光伝送路を構成している。
【００１３】
図２は、図１に係る前記蛍光標識用センサー装置の動作を示す一部断面図である。
７は、観察対象として蛍光標識が施された腫瘍部であり、所定の蛍光標識試薬を使用して周知の手法によりマーキングがなされている。  また、蛍光フィルター４は励起光の照射により腫瘍部７から発せられる特定の蛍光波長のみを通過させるもので、前記蛍光試薬に対応するものが使用されている。励起光源としてはレーザーダイオード、ＬＥＤ、ランプなどが用いられ光ファイバー６を介して腫瘍部７に照射される。  励起光の照射により腫瘍部７内に蓄積された試料に発した蛍光は蛍光フィルター４を通り矢符のように肉眼８に至り、腫瘍の視認識別がなされる。そして、腫瘍部７の観察はプローブ本体１を持って、照射口３を必要箇所に指向させていくことにより、腫瘍とその周囲の正常組織とを明確、容易に視認識別することができる。
【００１４】
図３は、蛍光標識用センサー装置の第２実施形態を示す一部断面図である。この実施形態において、蛍光フィルター４が嵌めこまれた保持枠体５はプローブ本体１に対する角度を図３（ａ）の矢符に示すように自在に設定できる構成の下に取り付けられている。  したがって、図３（ｂ）に示すように、凹所の腫瘍７における使用が容易になる。
【００１５】
さらに、図４は、蛍光標識用センサー装置の第３実施形態を示す一部断面図である。  この実施形態に係る蛍光標識用センサー装置において、プローブ本体１は、蛍光フィルター４との位置関係を保持しつつ励起光の照射方向を自在に設定し得るように構成されている。  例えば図４（ａ）に示すように、蛍光標識用センサー装置のフィルター４の中心軸と励起光の照射方向軸とのなす角度がθである場合、照射方向を図４（ｂ）に示す方向に変換しても、蛍光フィルター４の中心軸Ａと励起光の照射方向軸Ｂとの交差角はθに維持される。このような作用効果を得るための具体的構成として、図４（ｂ）に示すように、プローブ本体１をワイヤー入りゴム材で形成して所望の角度に屈曲させてかつその角度を保持できるように構成する一方、蛍光フィルター４の中心軸Ａと励起光の照射方向軸Ｂとの交差角がθをなすように光ファイバー６の端部を保持枠体５に固定し、常にこの位置関係を保持しつつプローブ本体１を自在に屈曲可能として観察対象の視認識別を容易にしている。
【００１６】
また、図５は、蛍光標識用センサー装置の第４実施形態を示す一部断面図である。  この実施形態に係る蛍光標識用センサー装置において、プローブ本体１には励起光光源とその電源が内蔵されている。  すなわち、図５に示すように励起光光源８はプローブ本体１の照射口３に設置され、電源としてのバッテリ９はプローブ本体１における電源室１０に収納されている。  励起光光源８としてはＬＥＤ、レーザーダイオード、ランプ等が使用される。このように、励起光光源、電源がすべてプローブ本体１に収納され励起光の出力系がプローブ本体１で完結するため操作性が向上し、保守管理も容易である。
【００１７】
さらに、図６は、蛍光標識用センサー装置の第５実施形態を示す一部断面図である。  この実施形態に係る蛍光標識用センサー装置において、図６（ａ）に示すように、プローブ本体１の貫通路２にはシャッター機構１１が設けられ貫通路２の開放・遮断をなすことにより、励起光の照射をオン・オフできるようになっている。
すなわち、シャッター機構１１は、図６（ｂ）に示すように、ばね、その他の弾性材からなる作動片１１ａとこの作動片１１ａの動作により貫通路２を横断して往復動するシャッター板１１ｂとから構成されている。  シャッター板１１ｂには、窓部１２が形成されており、この窓部１２が光ファイバー６の端部から出力される励起光の光軸１３に正対する位置にあるとき、励起光はプローブ本体１の照射口３から出射される。
【００１８】
図６（ａ）に示すように、シャッター機構１１は常時は光ファイバー６からの励起光を遮断する状態にある。  すなわち、前記シャッター板１１ｂは作動片１１ａの解圧状態にあって窓部１２は、図６（ｂ）に示すように励起光１３の光路外にあるから、光ファイバー６から出力されている励起光１３はシャッター板１１ｂにより遮断される。  そして、作動片１１ａを押圧すると、図６（ｃ）に示すようにシャッター板１１ｂが下降して窓部１２が励起光１３の光路に位置することになり、励起光１３はシャッター機構１１を通過する。
作動片１１ａの押圧を解放するとシャッター板１１ｂは復動して図６（ｂ）に示す位置に復帰し励起光１３は再び遮断される。  このシャッター機構１１により励起光の照射・停止を機動的に実行でき、特に装置外の光源から光ファイバーにより導光している場合の励起光照射制御に便利である。
【００１９】
さらに、図７は、蛍光標識用センサー装置の第６実施形態を示す一部断面図で、この実施形態において、蛍光フィルター４を保持する保持枠体５はプローブ本体１に対して着脱自在に取り付けられている。
図７（ａ）はプローブ本体１と蛍光フィルター４を保持する保持枠体５との関連構成を示す縦断面図、同図（ｂ）は、（ａ）におけるＢ−Ｂ線断面図である。
図において、１４は保持枠体５と一体に形成されたフィルターホルダーで、このフィルターホルダー１４は図７（ｂ）に示すように、Ｃリング形状をなしていて常時はプローブ本体１に固着されている。  そして、蛍光フィルター４（保持枠体５）とプローブ本体１とを分離するには、図７（ａ）において、フィルターホルダー１４を矢符右方向に移動して連結用突起１５との嵌合を解放し、次いでＣリングの切欠部の両端を押し開くことによりプローブ本体１から外す。そして、蛍光フィルター４（保持枠体５）のプローブ本体１への装着は、前記と逆の手順により行うことになる。
【００２０】
【発明の効果】
以上説明したように、本願発明に係る傾向標識用センサー装置は、コンパクトで操作も簡易なため、例えば腫瘍の切除等、精緻な作業を要する場面の使用に際して精妙な動作が容易になり、作業精度、作業効率の向上に資するばかりか製造コストも低廉である。
【図面の簡単な説明】
【図１】本願発明の第１実施形態に係る蛍光標識用センサー装置の断面図である。
【図２】図１に係る前記蛍光標識用センサー装置の動作を示す一部断面図である。
【図３】本願発明の第２実施形態に係る蛍光標識用センサー装置の断面図である。
【図４】本願発明の第３実施形態に係る蛍光標識用センサー装置の断面図である。
【図５】本願発明の第４実施形態に係る蛍光標識用センサー装置の断面図である。
【図６】本願発明の第５実施形態に係る蛍光標識用センサー装置の断面図である。
【図７】本願発明の第６実施形態に係る蛍光標識用センサー装置の断面図である。
【符号の説明】
１．．．．．．．．．．プローブ本体
２．．．．．．．．．  貫通路
３  ．．．．．．．．．照射口
４．．．．．．．．．  蛍光フィルター
５．．．．．．．．    保持枠体
６．．．．．．．．．  光ファイバー
１１．．．．．．．．．シャッター機構
【図１】
2004275569.tif 000003
【図２】
2004275569.tif 000004
【図３】
2004275569.tif 000005
【図４】
2004275569.tif 000006
【図５】
2004275569.tif 000007
【図６】
2004275569.tif 000008
【図７】
2004275569.tif 000009